(57)【要約】【課題】小型かつ高強度のチェンジャー用のディスクカートリッジを提供する。【解決手段】開口部１ａ内に複数枚のディスクトレイ４を収納するディスクカートリッジであって、各ディスクトレイ４をカートリッジケース１の内側面に形成されたガイドリブ４１，５１により保持するものにおいて、カートリッジケース１を上ケース１１と下ケース１２とガイドリブを有する左右のサイドプレート１３，１４とから構成する。カートリッジケース１の中央部よりも開口部側では、上ケース１１と左右のサイドプレート１３，１４との間及び下ケース１２と左右のサイドプレート１３，１４との間に形成された嵌合手段２３，３３，４３，４４５３，５４を利用した嵌合により各部材を一体に結合する。カートリッジケース１の中央部よりも奥側では、ねじ締めにより各部材を一体に結合する。【選択図】図２１
2007042177.tif 000002
【特許請求の範囲】
【請求項１】
開口部を有するカートリッジケースと、前記開口部を通して前記カートリッジケース内に出入自在に収納される複数枚の情報記録ディスク又はそれぞれに情報記録ディスクが積載された複数枚のディスクトレイとからなり、前記カートリッジケースの内側面に所定のピッチで相平行に形成されたガイドリブにより前記複数枚の情報記録ディスク又はディスクトレイを保持するディスクカートリッジにおいて、
前記カートリッジケースを上ケースと下ケースと前記ガイドリブを有する左右のサイドプレートとから構成し、前記カートリッジケースの中央部よりも開口部側では、前記上ケースと前記左右のサイドプレートの上端との間及び前記下ケースと前記左右のサイドプレートの下端との間に形成された嵌合手段を利用した嵌合により前記各部材を一体に結合すると共に、前記カートリッジケースの中央部よりも奥側では、ねじ締めにより前記各部材を一体に結合したことを特徴とするディスクカートリッジ。
【請求項２】
前記上ケースは前記カートリッジケースの上面を構成する天板を有し、かつ前記下ケースは前記カートリッジケースの下面を構成する底板を有し、前記天板の左右両側の端面には前記天板の板厚よりも薄形の天板側嵌合手段を形成すると共に、前記底板の左右両側の端面には前記底板の板厚よりも薄形の底板側嵌合手段を形成し、前記上ケースと前記下ケースと所定の部分に前記天板側嵌合手段及び前記底板側嵌合手段と嵌合し合うサイドプレート側嵌合手段が形成された前記左右のサイドプレートとをスライド嵌合により一体に結合することを特徴とする請求項１に記載のディスクカートリッジ。
【請求項３】
前記カートリッジケースの前端部に前記開口部を開閉するシャッターを備えたことを特徴とする請求項１に記載のディスクカートリッジ。
【発明の詳細な説明】
【技術分野】
【０００１】
本発明は、カートリッジケース内に複数枚の情報記録ディスク又はそれぞれに情報記録ディスクが積載された複数枚のディスクトレイを収納してなるチェンジャー用のディスクカートリッジに係り、特に、カートリッジケースの組立構造に関する。
【背景技術】
【０００２】
従来より、１つのカートリッジケース内に情報記録ディスクが積載された複数枚のディスクトレイを収納してなり、ディスクドライブ装置に着脱自在に装着して使用されるチェンジャー用のディスクカートリッジが提案されている（例えば、特許文献１参照。）。
【０００３】
特許文献１に記載のディスクカートリッジは、カートリッジケースが一体不可分な構造に形成されているが、カートリッジケース内にはディスクトレイを安定に保持するための付勢手段やロックバーなどを備える必要があるので、実際上はカートリッジケースを一体不可分な構造に形成することは不可能であるか、極めて生産が困難なものになる。そこで、チェンジャー用のディスクカートリッジに関し、必要な機能を備えかつ組立が容易なカートリッジケースの組立構造を開発することが求められている。
【特許文献１】特開２０００−４０３２４号公報
【発明の開示】
【発明が解決しようとする課題】
【０００４】
ところで、従来より知られている一般的な情報媒体収納用ディスクカートリッジケースの組立構造としては、カートリッジケースを上ケースと下ケースとから構成し、これら上ケースと下ケースの四隅部を少なくとも含む複数箇所をねじにて締結するねじ締め方式（例えば５インチＭＯカートリッジ）と、上ケースと下ケースの突き合わせ面を超音波により溶着する超音波溶着方式（例えばＤＶＤ−ＲＡＭカートリッジ）と、図３６に示すように、上ケース１０１の四隅部に係止爪１０２を垂設すると共に下ケース１０３の四隅部に係止爪１０２を係合可能な係合孔１０４を形成し、係合孔１０４に係止爪１０２をスナップ嵌合することにより上ケースと下ケースとを一体化するスナップ結合方式（例えばＬＴＯテープカートリッジ）とがあり、チェンジャー用のディスクカートリッジに関しても、これらの組立構造を適用することができる。なお、ねじ締め方式によると、上ケースと下ケースとを強固に結合することができて、高強度のカートリッジケースを得ることができる。また、超音波溶着方式及びスナップ結合方式によると、カートリッジケースの開口部側に上ケースと下ケースとを接合するための特別なスペースを必要としないので、ねじ締め方式を採用する場合に比べて相対的にディスクカートリッジを小型化することができる。
【０００５】
しかしながら、チェンジャー用のディスクカートリッジは、開口部を通して情報記録ディスク又は情報記録ディスクが積載されたディスクトレイを出し入れするので、カートリッジケースの組立構造としてねじ締め方式を採用し、カートリッジケースの中央部よりも開口部側をねじ締めすると、ねじ締め用のスペースによって開口部の幅が制限されるので、必然的にカートリッジケースの横幅が大きくなるという問題がある。
【０００６】
一方、チェンジャー用のディスクカートリッジは、大型かつ大重量であることから高い強度が要求されるが、超音波溶着によっては上ケースと下ケースとを高強度に結合することができず、落下などによって衝撃力を受けたときに容易に上ケースと下ケースとの結合が破れ、情報記録ディスクを損傷しやすいという問題がある。
【０００７】
また、カートリッジケースの組立構造としてスナップ結合方式を採用すると、図３６から明らかなように、上ケース１０１を構成する周壁１０１ａの下ケース１０３との突き合わせ面に係止爪１０２を垂設すると共に、下ケース１０３を構成する周壁１０３ａの上ケース１０１との突き合わせ面に係止爪１０２を内挿するための薄肉部１０３ｂを形成し、かつ当該薄肉部１０３ｂに係止爪１０２の係合孔１０４を開設しなくてはならないので、周壁１０１ａ，１０３ａの肉厚が大きくなり、その結果、カートリッジケースの平面サイズが大型化するという問題がある。
【０００８】
本発明は、かかる従来技術の不備を解決するためになされたものであり、その目的は、小型にして高強度のチェンジャー用のディスクカートリッジを提供するにある。
【課題を解決するための手段】
【０００９】
本発明は、上記課題を解決するため、開口部を有するカートリッジケースと、前記開口部を通して前記カートリッジケース内に出入自在に収納される複数枚の情報記録ディスク又はそれぞれに情報記録ディスクが積載された複数枚のディスクトレイとからなり、前記カートリッジケースの内側面に所定のピッチで相平行に形成されたガイドリブにより前記複数枚の情報記録ディスク又はディスクトレイを保持するディスクカートリッジにおいて、前記カートリッジケースを上ケースと下ケースと前記ガイドリブを有する左右のサイドプレートとから構成し、前記カートリッジケースの中央部よりも開口部側では、前記上ケースと前記左右のサイドプレートの上端との間及び前記下ケースと前記左右のサイドプレートの下端との間に形成された嵌合手段を利用した嵌合により前記各部材を一体に結合すると共に、前記カートリッジケースの中央部よりも奥側では、ねじ締めにより前記各部材を一体に結合するという構成にした。
【００１０】
このように、カートリッジケースを上ケースと下ケースと左右のサイドプレートとから構成し、カートリッジケースの中央部よりも開口部側では、上ケースと左右のサイドプレートの上端との間及び下ケースと左右のサイドプレートの下端との間に形成された嵌合手段を利用した嵌合によりこれらの各部材を一体に結合すると、開口部の前面にねじなどの結合用の部材を配置することなく各部材を一体に結合することができるので、カートリッジケースの小型化を図ることができる。また、カートリッジケースの中央部よりも奥側において、ねじ締めにより各部材を一体に結合すると、各部材を強固に結合できるので、カートリッジケースの高強度化を図ることができる。
【００１１】
また、本発明は、前記構成のディスクカートリッジにおいて、前記上ケースは前記カートリッジケースの上面を構成する天板を有し、かつ前記下ケースは前記カートリッジケースの下面を構成する底板を有し、前記天板の左右両側の端面には前記天板の板厚よりも薄形の天板側嵌合手段を形成すると共に、前記底板の左右両側の端面には前記底板の板厚よりも薄形の底板側嵌合手段を形成し、前記上ケースと前記下ケースと所定の部分に前記天板側嵌合手段及び前記底板側嵌合手段と嵌合し合うサイドプレート側嵌合手段が形成された前記左右のサイドプレートとをスライド嵌合により一体に結合するという構成にした。
【００１２】
このように、上ケースを構成する天板及び下ケースを構成する底板の左右両側の端面に天板又は底板の板厚よりも薄形の天板側嵌合手段又は底板側嵌合手段を形成すると共に、サイドプレートの所定部分に前記天板側嵌合手段又は前記底板側嵌合手段と嵌合し合うサイドプレート側嵌合手段を形成し、これら天板側嵌合手段とサイドプレート側嵌合手段及び底板側嵌合手段とサイドプレート側嵌合手段とをスライド嵌合させて上ケースと下ケースと左右のサイドプレートとを一体に結合すると、スナップ結合方式をとる場合とは異なり、上ケース、下ケース及びサイドプレートの肉厚を大きくすることなく各部材を強固に結合できるので、カートリッジケースの小型化を図ることができる。
【００１３】
また、本発明は、前記構成のディスクカートリッジにおいて、前記カートリッジケースの前端部に前記開口部を開閉するシャッターを備えるという構成にした。
【００１４】
このように、カートリッジケースの前端部に開口部を開閉するためのシャッターを備えると、カートリッジケース内への異物の侵入を防止できるので、カートリッジケース内に収納された情報記録ディスクの長期保存性を高めることができる。
【発明の効果】
【００１５】
本発明のディスクカートリッジは、カートリッジケースを上ケースと下ケースと左右のサイドプレートとから構成し、カートリッジケースの中央部よりも開口部側では、上ケースと左右のサイドプレートとの間及び下ケースと左右のサイドプレートとの間に形成された嵌合手段を利用した嵌合によりこれらの各部材を一体に結合し、かつカートリッジケースの中央部よりも奥側では、ねじ締めにより各部材を一体に結合したので、開口部の前面にねじなどの結合用の部材を配置することなく各部材を一体に結合することができて、カートリッジケースの小型化を図ることができると共に、各部材を強固に結合できて、カートリッジケースの高強度化を図ることができる。
【発明を実施するための最良の形態】
【００１６】
以下、本発明に係るディスクカートリッジの実施形態について説明する。
【００１７】
図１乃至図３に示すように、本例のディスクカートリッジは、一側面に開口部１ａを有する箱状のカートリッジケース１と、カートリッジケース１に旋回可能に取り付けられ開口部１ａを開閉するシャッタ２と、シャッタロック部材３と、開口部１ａを通してカートリッジケース１の内部に出入自在に収納される複数枚のディスクトレイ４と、各ディスクトレイ４上に１枚ずつ載置される複数枚の情報記録ディスク５と、カートリッジケース１内に設定された管理用メモリ装置６と、カートリッジケース１とシャッタ２との間に張設される第１シャッタスプリング７と、カートリッジケース１とシャッタロック部材３との間に張設される第２シャッタスプリング８とから構成されている。
【００１８】
カートリッジケース１は、図３に示すように、上ケース１１と下ケース１２と左サイドプレート１３と右サイドプレート１４とをもって一側面に開口部１ａを有する所要の大きさの箱状に形成される。前記各部材１１，１２，１３，１４は、それぞれプラスチックの射出成形品からなる。
【００１９】
上ケース１１は、図４乃至図６に示すように、前端部（開口部１ａの形成側）の左右両側に段部２１ａを有する略四角形の天板２１と、該天板２１の段部２１ａより前方部分を除く左右両側辺及び後辺より垂設された一定高さの隔壁２２とをもってカートリッジケース１の上半分を構成する形状に形成されている。天板２１の段部２１ａよりも前方の端面部分には、サイドプレート１３，１４の前端上部を嵌合するための嵌合突起２３が外向きに張り出されている。一方、天板２１の内面には、天板２１の左右両側辺より垂設された隔壁２２との間にそれぞれ左サイドプレート１３を挿入可能な間隔及び右サイドプレート１４を挿入可能な間隔を隔てて２条のリブ２４，２５が平行に形成されており、これら各リブ２４，２５の後端と対向する部分には、各サイドプレート１３，１４を仮止めするための突起２６，２７が突設されている。また、天板２１の内面の後端角部には、ねじ孔を有するボス２８が突設されている。さらに、天板２１の後辺より垂設された隔壁２２の内面には、管理用メモリ装置６の設定部２９が形成されている。
【００２０】
下ケース１２は、図７乃至図９に示すように、前端部の左右両側に段部３１ａを有する略四角形の底板３１と、該底板３１の段部３１ａより前方部分を除く左右両側辺及び後辺より起立された一定高さの隔壁３２とをもってカートリッジケース１の下半分を構成する形状に形成されている。底板３１の段部３１ａよりも前方の端面部分には、サイドプレート１３，１４の前端下部を嵌合するための嵌合突起３３が外向きに張り出されている。一方、底板３１の内面には、前記上ケース１１に形成されたリブ２４，２５と対応する部分に２条のリブ３４，３５が平行に形成されており、これら各リブ３４，３５の後端と対向する部分には、各サイドプレート１３，１４をねじ止めするための第１ボス３６，３７が突設されている。また、底板３１の内面の前記上ケース１１に形成されたボス２８と対応する部分には、第２ボス３８が突設されている。さらに、底板３１の後辺より垂設された隔壁３２の前記上ケース１１に形成された設定部２９と対応する部分には、管理用メモリ装置６の設定部３９が形成されている。
【００２１】
上ケース１１及び下ケース１２は、隔壁２２の下辺と隔壁３２の上辺とを互いに突き合わせ、ボス２８に開設されたねじ孔内に挿入された所要のねじを第２ボス３８にねじ締めすることにより、箱状に組み立てられる。
【００２２】
左サイドプレート１３は、図１０乃至図１４に示すように、上ケース１１の天板２１、隔壁２２及びリブ２４と、下ケース１２の底板３１、隔壁３２及びリブ３４とをもって構成される空間内に挿入可能な形状及び大きさに形成されている。この左サイドプレート１３の内面には、複数条（本例においては、７条）のガイドリブ４１が前端側から後端側に至る方向に平行に形成されており、ガイドリブ４１を有しない部分には、シャッタ２の取付孔４２が開設されている。一方、この左サイドプレート１３の外面の取付孔４２の近傍には、第１シャッタスプリング７の一端を係止するばね掛け突起４２ａが突設されている。また、この左サイドプレート１３の前端寄りの上下部分には、前記上ケース１１に形成された嵌合突起２３及び前記下ケース１２に形成された嵌合突起３３を嵌合するための嵌合凹部４３，４４が形成されている。さらに、この左サイドプレート１３の後端部には、ディスクトレイ４の誤挿入防止部４５が形成され、その上部に前記上ケース１１の内面に形成された仮止め用の突起２６に係合される係止爪４６が形成されると共に、その下部に前記下ケース１２に形成された第１ボス３６のねじ孔に挿入されたねじによってねじ締めされるねじ孔４７が開設されている。
【００２３】
右サイドプレート１４は、図１５乃至図１９に示すように、上ケース１１の天板２１、隔壁２２及びリブ２５と、下ケース１２の底板３１、隔壁３２及びリブ３５とをもって構成される空間内に挿入可能な形状及び大きさに形成されている。この右サイドプレート１４の内面には、前記左サイドプレート１３の内面に形成されたガイドリブ４１と対応する位置に同数のガイドリブ５１が形成されており、ガイドリブ５１を有しない部分には、シャッタ２の取付孔５２が開設されている。一方、この右サイドプレート１４の外面には、シャッタロック部材３の取付突起５２ａと第２シャッタスプリング８の一端を係止するばね掛け突起５２ｂとが所定の配列で突設されている。また、この右サイドプレート１４の前端寄りの上下部分には、前記上ケース１１に形成された嵌合突起２３及び前記下ケース１２に形成された嵌合突起３３を嵌合するための嵌合凹部５３，５４が形成されている。さらに、この右サイドプレート１４の後端部には、ディスクトレイ４の誤挿入防止部５５が形成され、その上部に前記上ケース１１の内面に形成された仮止め用の突起２７に係合される係止爪５６が形成されると共に、その下部に前記下ケース１２に形成された第１ボス３７のねじ孔に挿入されたねじによってねじ締めされるねじ孔５７が開設されている。なお、図中の符号５８は、カートリッジケース１内に収納されたディスクトレイ４を安定に保持するためのトレイ係止部を示している。このトレイ係止部５８は、右サイドプレート１４の三方を切り抜くことによって形成された弾性片５８ａと、当該弾性片５８ａの先端部に形成された係止爪５８ｂとをもって構成されており、係止爪５８ｂを各ガイドリブ５１の間に形成されるトレイ挿入空間内に配置してなる。なお、右サイドプレート１４は、左サイドプレート１３よりも全長がやや長く形成される。
【００２４】
前記左サイドプレート１３は、図２０に示すように、一体的に組み立てられた上ケース１１と下ケース１２の左サイドの内面に沿って開口部１ａから挿入される。これにより、図２１に示すように、左サイドプレート１３の前端寄りの上下部分に形成された嵌合凹部４３，４４内にそれぞれ上ケース１１に形成された嵌合突起２３及び下ケース１２に形成された嵌合突起３３がスライド嵌合され、カートリッジケース１の中央部よりも開口部１ａ側において、上ケース１１と下ケース１２と左サイドプレート１３とが一体に結合される。左サイドプレート１３が所定位置まで挿入されると、左サイドプレート１３の後端部に形成された係止爪４６が上ケース１１の内面に形成された仮止め用の突起２６に係合され、同じく左サイドプレート１３の後端部に開設されたねじ孔４７の開設位置と下ケース１２に形成された第１ボス３６の開設位置とが自動的に合致される。したがって、第１ボス３６のねじ孔に挿入されたねじをねじ孔４７内に挿入して締め付けることにより、左サイドプレート１３を下ケース１２に固定することができる。
【００２５】
一方、前記右サイドプレート１４は、図２０に示すように、一体的に組み立てられた上ケース１１と下ケース１２の右サイドの内面に沿って開口部１ａから挿入される。これにより、右サイドプレート１３の前端寄りの上下部分に形成された嵌合凹部５３，５４内にそれぞれ上ケース１１に形成された嵌合突起２３及び下ケース１２に形成された嵌合突起３３がスライド嵌合され、カートリッジケース１の中央部よりも開口部１ａ側において、上ケース１１と下ケース１２と右サイドプレート１４とが一体に結合される。右サイドプレート１４が所定位置まで挿入されると、右サイドプレート１４の後端部に形成された係止爪５６が上ケース１１の内面に形成された仮止め用の突起２７に係合され、同じく右サイドプレート１４の後端部に開設されたねじ孔５７の開設位置と下ケース１２に形成された第１ボス３７の開設位置とが自動的に合致される。したがって、第１ボス３７のねじ孔に挿入されたねじをねじ孔５７内に挿入して締め付けることにより、右サイドプレート１４を下ケース１２に固定することができる。これにより、カートリッジケース１の組立が完了する。
【００２６】
ディスクトレイ４は、図２２に示すように、外形がカートリッジケース１内に収納可能な略四角形に形成されており、前端の右側角部には、図示しないディスクドライブ装置に備えられたトレイ操作アームを係合するためのフック４ａが形成され、後端の左右両角部には、互いに長さが異なる誤挿入防止用の切欠４ｂ，４ｃが形成されている。切欠４ｂ，４ｃの長さの差は、左サイドプレート１３と右サイドプレート１４の長さの差に設定される。本例のディスクトレイ４は、ディスク収納凹部６１が形成される厚肉部６２と、前記左右のサイドプレート１３，１４に形成されたガイドリブ４１，５１により保持される薄肉部６３とを有しており、右側の薄肉部６３の後方部分には、右サイドプレート１４に形成された係止爪５８ｂを係合するための略三角形の係合凹部４ｄが形成されている。本例のディスクトレイ４もプラスチックの射出成形品をもって形成される。
【００２７】
図２３に示すように、厚肉部６２の厚みｈ１は、相隣接して配置される２条のガイドリブ４１，５１間の隙間の寸法ｈ５と１条のガイドリブ４１，５１の厚みｈ６との合計よりもやや小さな値（ｈ１＜ｈ５＋ｈ６）に設定される。また、薄肉部６３の厚みｈ２は、相隣接して配置される２条のガイドリブ４１，５１間の隙間の寸法ｈ５よりもやや小さな値（ｈ２＜ｈ５）に設定される。（ｈ５＋ｈ６−ｈ１）の値及び（ｈ５−ｈ２）の値は、ディスクトレイ４を円滑に摺動するために必要なクリアランスやディスクトレイ４の経時変形等を考慮して、適宜設定される。なお、ｈ５の値は、情報記録ディスク５の厚みと同等かこれよりもやや大きい値に設定され、ｈ６の値は、ガイドリブ４１，５１の強度や成形性を考慮して設定される。さらに、厚肉部６２の上面と薄肉部６３の上面との間に形成される段差ｈ３の大きさ及び厚肉部６２の下面と薄肉部６３の下面との間に形成される段差ｈ４の大きさは、情報記録ディスク５の厚み及びディスク収納凹部６１に形成されるディスク保持部（後述）の厚みを考慮して、相隣接して配置される２条のガイドリブ４１，５１の間の隙間内に情報記録ディスク５が配置されるように設定される。
【００２８】
ディスク収納凹部６１は、直径が情報記録ディスク５の直径よりも大きく深さが情報記録ディスク５の厚みよりも大きい円形の周壁６４と、当該周壁６４の下方から内向きに張り出されたリブ状のディスク保持部６５とをもって形成されており、ディスク保持部６５の一部には薄肉部６３に達する切欠６６が設けられている。ディスク保持部６５の周壁６４からの突出量ｓは、ディスク保持部６５が情報記録ディスク５の外周非記録領域にのみ当接するように設定される。周壁６４の切欠６６と対応する部分には、図２４に示すように、情報記録ディスク５の脱落防止部として、周壁６４の開口面側からディスク保持部６５側に至るにしたがって周壁６４の直径が大きくなる逆勾配部６７が形成されている。これに対して、他の部分においては、図２５に示すように、周壁６４の勾配がディスクトレイ４を射出成形するに必要な抜き勾配の方向、即ち、周壁６４の開口面側からディスク保持部６５側に至るにしたがって周壁６４の直径が小さくなる方向に形成される。
【００２９】
ディスクトレイ４は、図２６に示すように、ディスク収納凹部６１内に情報記録ディスク５を収納した状態で、カートリッジケース１内に収納される。ディスクトレイ４が正しい方向に向けてカートリッジケース１内に収納された場合には、ディスクトレイ４の後端に形成された切欠４ｂ，４ｃの端部まで左サイドプレート１３に形成された誤挿入防止部４５及び右サイドプレート１４に形成された誤挿入防止部５５がそれぞれ挿入されるので、カートリッジケース１内の所定位置までディスクトレイ４を挿入して収納することができる。また、この場合には、ディスクトレイ４に形成された係合凹部４ｄに右サイドプレート１４に形成された係止爪５８ｂが係合するので、カートリッジケース１からの不用意なディスクトレイ４の脱落が防止される。これに対して、ディスクトレイ４が誤った方向に向けてカートリッジケース１内に収納された場合には、左サイドプレート１３に形成された誤挿入防止部４５にディスクトレイ４の角部が当接されるので、それ以上の挿入が自動的に防止される。正しい方向に向けてカートリッジケース１内に挿入されたディスクトレイ４は、図２７に示すように、薄肉部６３がカートリッジケース１に形成された各ガイドリブ４１，５１上に載置され、情報記録ディスク５の外周部も相隣接して配置される２条のガイドリブ４１，５１間の隙間内に配置される。これによって、カートリッジケース１の横幅の減少を図ることができる。
【００３０】
本例のディスクトレイ４は、周壁６４の切欠６６と対応する部分に逆勾配部６７を形成したので、各逆勾配部６７を上下方向に向けてカートリッジケース１を縦置きにした場合、図２８に示すように、下方の逆勾配部６７に情報記録ディスク５の外周エッジ部が当接され、情報記録ディスク５をディスクトレイ４のディスク保持部６５に密着させる方向に回動するモーメントＭが生じる。よって、ディスク収納凹部６１からの情報記録ディスク５の脱落が防止され、ディスクカートリッジの実用性及び汎用性が高められる。
【００３１】
情報記録ディスク５は、ディスク基板の片面又は両面に情報記録膜を含む所要の薄膜を成膜してなる。情報記録膜としては、例えば磁気記録膜、光記録膜又は光磁気記録膜などの公知に属する任意の情報記録膜を形成することができる。
【００３２】
管理用メモリ装置６は、ディスクカートリッジ内に収納される情報記録ディスク５の属性等を記録し、ディスクカートリッジの使用を便利にするものであって、無線通信タグ（ＲＦＩＤ）等を用いることができる。この管理用メモリ装置６は、上ケース１１及び下ケース１２の後端部に形成された設定部２９，３９内に設定される。
【００３３】
シャッタ２は、図２９、図３２及び図３３に示すように、カートリッジケース１の上面を覆う上面部７１と、カートリッジケース１の前面を覆う前面部７２と、カートリッジケース１の側面を覆う側面部７３とから構成されており、側面部７３の内面には、前記左サイドプレート１３及び前記右サイドプレート１４に開設された取付孔４２，５２内に回転自在に挿入される支持軸７４が対向に突設されている。また、左側の側面部７３の内面には、第１シャッタスプリング７の一端を係止するばね掛け突起７５が突設され、右側の側面部７３の内面には、後述するシャッタロック部材３を着脱自在に係合するための係合突起７６が突設されている。本例のシャッタ２は、支持軸７４を取付孔４２，５２内に挿入することによってカートリッジケース１の前面部に旋回自在に取り付けられる。第１シャッタスプリング７は、ばね掛け突起７５と左サイドプレート１３の外面に突設されたばね掛け突起４２ａとの間に張設され、シャッタ２を常時開方向に付勢する。本例のシャッタ２もプラスチックの射出成形品をもって形成される。
【００３４】
シャッタロック部材３は、図３０及び図３１に示すように、板状の本体部８１と、当該本体部８１の前端下部より外向きに起立された操作部８２と、本体部８１の上辺から当該本体部８１の前方に突出された略棒状のシャッタ係止部８３と、本体部８１の後端から後方に突出された第２シャッタスプリング８の係合部８４とから形成されており、本体部８１には、Ｌ字形の取付孔８５と右サイドプレート１４に形成された取付突起５２ａの係合部８６とが形成されている。本例のシャッタロック部材３は、Ｌ字形に形成された取付孔８５の縦辺部８５ａに右サイドプレート１４に形成された取付突起５２ａを挿入した後、当該取付突起５２ａをＬ字形に形成された取付孔８５の横辺部８５ｂに移動し、その先端部を係合部８６に係合することにより、図３２及び図３３に示すように、右サイドプレート１４に前後動自在に取り付けられる。第２シャッタスプリング８は、右サイドプレート１４に形成されたばね掛け突起５２ｂとシャッタロック部材３に形成された係合部８４との間に張設され、シャッタロック部材３を常時開口部１ａ側に付勢する。本例のシャッタロック部材３もプラスチックの射出成形品をもって形成される。
【００３５】
不使用時、シャッタロック部材３は、図３２に示すように、第２シャッタスプリング８の弾性力によってカートリッジケース１の開口部１ａ側に移動されており、シャッタ２に形成された係合突起７６にシャッタ係止部８３が係合される。したがって、シャッタ２は、第１シャッタスプリング７の弾性力に抗して閉状態に保持され、開口部１ａからカートリッジケース１内への異物等の侵入が防止される。
【００３６】
ディスクカートリッジを図示しないディスクドライブ装置に装着すると、図３３に示すように、ディスクドライブ装置内に備えられた解除部がシャッタロック部材３の操作部８２を後方に押圧し、シャッタロック部材３を第２シャッタスプリング８の弾性力に抗してカートリッジケース１の後方側に移動させる。これにより、シャッタ２に形成された係合突起７６とシャッタロック部材３に形成されたシャッタ係止部８３との係合が解除され、シャッタ２が第１シャッタスプリング７の弾性力によって開状態になる。開口部１ａを通してのカートリッジケース１内からのディスクトレイ４の取り出し及びディスクドライブ装置からカートリッジケース１内へのディスクトレイ４の収納が可能になる。
【００３７】
本例のディスクカートリッジは、ディスクトレイ４にディスク収納凹部６１が形成される厚肉部６２とカートリッジケース１に形成されたガイドリブ４１，５１により保持される薄肉部６３とを形成し、これら厚肉部６２の厚さと薄肉部６３の厚さの差をガイドリブ４１，５１の厚さよりも小さくしたので、ディスクトレイ４に薄肉部６３を形成しない場合に比べて、ディスクトレイ４の収納密度を高めることができる。また、厚肉部６２の上面と薄肉部６３の上面との間及び厚肉部６２の下面と薄肉部６３の下面との間の双方にそれぞれ段差を形成したので、情報記録ディスク５を２つのガイドリブ４１，５１の中間位置に配置することができ、ガイドリブ４１，５１と情報記録ディスク５との照合を防止できて、情報記録ディスク５の保存安定性を高めることができる。また、ディスク収納凹部６１の深さを情報記録ディスク５の厚さよりも大きくしたので、１のディスクトレイ４に載置された情報記録ディスク５の記録面に他のディスクトレイ４が接触しにくく、この点からも情報記録ディスク５の保存安定性が高められる。さらに、ディスク保持部６５の一部に薄肉部６３に達する切欠６６を設けたので、ガイドリブ４１，５１の先端部を当該切欠６６内まで配置することができ、カートリッジケースの横幅の減少による小型化を図ることができる。
【００３８】
なお、前記実施形態においては、情報記録ディスク５の脱落防止部として逆勾配部６７を形成したが、本発明の要旨はこれに限定されるものではなく、図３４及び図３５に示すように、ディスク収納凹部６１を構成する周壁６４の一部に１乃至複数個（図３４の例では、４個）の脱落防止突起９１を形成することもできる。このように、脱落防止部として周壁６４に脱落防止突起９１を形成すると、切欠６６を上下方向に向けてカートリッジケース１を縦置きにした場合のみならず、切欠６６を左右方向に向けてカートリッジケース１を縦置きにした場合にもディスクトレイ４からの情報記録ディスク５の脱落を防止できるので、より一層この種のディスクカートリッジの実用性及び汎用性が高められる。
【００３９】
また、前記実施形態においては、情報記録ディスク５が積載されたディスクトレイ４をサイドプレート１３，１４に形成されたガイドリブ４１，５１にて保持するディスクカートリッジを例にとって説明したが、本発明の要旨はこれに限定されるものではなく、ディスクトレイ４を使用せず、情報記録ディスク５の外周非記録領域を直接ガイドリブ４１，５１にて保持するディスクカートリッジにも応用することができる。
【図面の簡単な説明】
【００４０】
【図１】ディスクカートリッジの不使用時の斜視図である。
【図２】ディスクカートリッジの使用時の斜視図である。
【図３】ディスクカートリッジの分解斜視図である。
【図４】上ケースの平面図である。
【図５】上ケースの前端側から見た正面図である。
【図６】上ケースの底面図である。
【図７】下ケースの平面図である。
【図８】下ケースの前端側から見た正面図である。
【図９】下ケースの底面図である。
【図１０】左サイドプレートの内面側から見た正面図である。
【図１１】左サイドプレートの前端側から見た側面図である。
【図１２】左サイドプレートの後端側から見た側面図である。
【図１３】左サイドプレートの平面図である。
【図１４】左サイドプレートの底面図である。
【図１５】右サイドプレートの内面側から見た正面図である。
【図１６】右サイドプレートの後端側から見た側面図である。
【図１７】右サイドプレートの前端側から見た側面図である。
【図１８】右サイドプレートの平面図である。
【図１９】右サイドプレートの底面図である。
【図２０】上ケースと下ケースの組立体に対する左サイドプレート及び右サイドプレートの組立方法を示す斜視図である。
【図２１】上ケース及び下ケースに対する左サイドプレートの組立状態とカートリッジケース内へのディスクトレイの収納状態とを示す要部断面図である。
【図２２】ディスクトレイの斜視図である。
【図２３】ディスクトレイとガイドリブとの寸法関係を示す説明図である。
【図２４】図２２のＡ部断面図である。
【図２５】図２２のＢ部断面図である。
【図２６】カートリッジケース内へのディスクトレイの収納状態を示す平面方向から見た断面図である。
【図２７】カートリッジケース内へのディスクトレイの収納状態を示す前端方向から見た要部断面図である。
【図２８】逆勾配部の効果を示す要部断面図である。
【図２９】シャッタの下方から見た正面図である。
【図３０】シャッタロック部材の正面図である。
【図３１】シャッタロック部材の側面図である。
【図３２】シャッタの開閉動作を示す説明図である。
【図３３】シャッタの開閉動作を示す説明図である。
【図３４】他の実施形態に係るディスクトレイの斜視図である。
【図３５】図３４のＣ部拡大図である。
【図３６】上ケースと下ケースのスナップ結合方式を説明する要部断面図である。
【符号の説明】
【００４１】
１    カートリッジケース
１ａ    開口部
２    シャッタ
３    シャッタロック部材
４    ディスクトレイ
５    情報記録ディスク
１１    上ケース
１２    下ケース
１３    左サイドプレート
１４    右サイドプレート
２３    嵌合突起
３３    嵌合突起
４３，４４    嵌合凹部
５３，５４    嵌合凹部
【図１】
2007042177.tif 000003
【図２】
2007042177.tif 000004
【図３】
2007042177.tif 000005
【図４】
2007042177.tif 000006
【図５】
2007042177.tif 000007
【図６】
2007042177.tif 000008
【図７】
2007042177.tif 000009
【図８】
2007042177.tif 000010
【図９】
2007042177.tif 000011
【図１０】
2007042177.tif 000012
【図１１】
2007042177.tif 000013
【図１２】
2007042177.tif 000014
【図１３】
2007042177.tif 000015
【図１４】
2007042177.tif 000016
【図１５】
2007042177.tif 000017
【図１６】
2007042177.tif 000018
【図１７】
2007042177.tif 000019
【図１８】
2007042177.tif 000020
【図１９】
2007042177.tif 000021
【図２０】
2007042177.tif 000022
【図２１】
2007042177.tif 000023
【図２２】
2007042177.tif 000024
【図２３】
2007042177.tif 000025
【図２４】
2007042177.tif 000026
【図２５】
2007042177.tif 000027
【図２６】
2007042177.tif 000028
【図２７】
2007042177.tif 000029
【図２８】
2007042177.tif 000030
【図２９】
2007042177.tif 000031
【図３０】
2007042177.tif 000032
【図３１】
2007042177.tif 000033
【図３２】
2007042177.tif 000034
【図３３】
2007042177.tif 000035
【図３４】
2007042177.tif 000036
【図３５】
2007042177.tif 000037
【図３６】
2007042177.tif 000038